(57)【特許請求の範囲】
【請求項１】
プロトコル変換の方法であって、前記方法は、
プロトコル変換装置により、イーサネットプロトコルを用いて、ベースバンドユニット（ＢＢＵ）との周波数同期および時刻同期を実施する段階と、
前記プロトコル変換装置により、イーサネットインタフェースから周波数同期情報および時刻同期情報を取得する段階と、
前記プロトコル変換装置により、前記周波数同期情報および前記時刻同期情報を、共通公衆無線インタフェースプロトコルフォーマット（ＣＰＲＩプロトコルフォーマット）である周波数同期情報および時刻同期情報へと変換する段階と、
前記プロトコル変換装置により、ＣＰＲＩインタフェースを用いて、前記変換された周波数同期情報および時刻同期情報を遠隔無線ユニット（ＲＲＵ）に送信し、前記ＲＲＵは、ＣＰＲＩプロトコルをサポートする、送信する段階と、
前記プロトコル変換装置により、前記ＲＲＵをＣＰＲＩプロトコルトポロジスキャン方式でスキャンして、前記ＲＲＵのトポロジ情報を取得する段階と、
前記プロトコル変換装置により、前記イーサネットプロトコルに従って、前記トポロジ情報を前記ＢＢＵに報告する段階と
を備える
方法。
【請求項２】
前記方法は、
前記プロトコル変換装置と前記ＲＲＵとの間に低速制御管理チャネルが存在する場合、前記プロトコル変換装置により、ハイレベルデータリンク制御アドレス（ＨＤＬＣアドレス）を前記ＲＲＵに割り当てる段階と、
前記プロトコル変換装置により、動的ホスト構成プロトコル要求（ＤＨＣＰ要求）を前記ＲＲＵに代わって開始して、前記ＲＲＵのインターネットプロトコルアドレス（ＩＰアドレス）を取得し、前記ＩＰアドレスと前記ＨＤＬＣアドレスとの間のマッピング関係を確立する段階と、
前記プロトコル変換装置により、前記ＩＰアドレスと前記ＨＤＬＣアドレスとの間の前記マッピング関係に従って、前記ＢＢＵから前記ＲＲＵに送信される制御管理パケットを識別し、前記制御管理パケットをＨＤＬＣパケットへと変換し、前記ＨＤＬＣパケットをＣＰＲＩフレームへとカプセル化し、前記ＣＰＲＩフレームを前記ＲＲＵに送信する段階と
をさらに備える、請求項１に記載の方法。
【請求項３】
プロトコル変換の方法であって、前記方法は、
プロトコル変換装置により、イーサネットプロトコルを用いて、ベースバンドユニット（ＢＢＵ）との周波数同期および時刻同期を実施する段階と、
前記プロトコル変換装置により、イーサネットインタフェースから周波数同期情報および時刻同期情報を取得する段階と、
前記プロトコル変換装置により、前記周波数同期情報および前記時刻同期情報を、共通公衆無線インタフェースプロトコルフォーマット（ＣＰＲＩプロトコルフォーマット）である周波数同期情報および時刻同期情報へと変換する段階と、
前記プロトコル変換装置により、ＣＰＲＩインタフェースを用いて、前記変換された周波数同期情報および時刻同期情報を遠隔無線ユニット（ＲＲＵ）に送信し、前記ＲＲＵは、ＣＰＲＩプロトコルをサポートする、送信する段階と、
前記プロトコル変換装置と前記ＲＲＵとの間に低速制御管理チャネルが存在する場合、前記プロトコル変換装置により、ハイレベルデータリンク制御アドレス（ＨＤＬＣアドレス）を前記ＲＲＵに割り当てる段階と、
前記プロトコル変換装置により、動的ホスト構成プロトコル要求（ＤＨＣＰ要求）を前記ＲＲＵに代わって開始して、前記ＲＲＵのインターネットプロトコルアドレス（ＩＰアドレス）を取得し、前記ＩＰアドレスと前記ＨＤＬＣアドレスとの間のマッピング関係を確立する段階と、
前記プロトコル変換装置により、前記ＩＰアドレスと前記ＨＤＬＣアドレスとの間の前記マッピング関係に従って、前記ＢＢＵにより前記ＲＲＵに送信される制御管理パケットを識別し、前記制御管理パケットをＨＤＬＣパケットへと変換し、前記ＨＤＬＣパケットをＣＰＲＩフレームへとカプセル化し、前記ＣＰＲＩフレームを前記ＲＲＵに送信する段階と
を備える
方法。
【請求項４】
前記方法は、
前記プロトコル変換装置により、前記ＲＲＵからＣＰＲＩフレームを受信する段階と、
前記プロトコル変換装置により、前記ＣＰＲＩフレームからＨＤＬＣパケットを取得する段階と、
前記ＨＤＬＣパケットをイーサネットプロトコルパケットへと変換する段階と、
前記イーサネットプロトコルパケットを前記ＢＢＵに送信する段階と
をさらに備える、請求項２または３に記載の方法。
【請求項５】
前記方法は、
高速制御管理チャネルが、前記プロトコル変換装置と前記ＲＲＵとの間に存在する場合、前記プロトコル変換装置により、前記ＢＢＵにより前記ＲＲＵに送信されるイーサネットプロトコル制御管理パケットを識別する段階と、
前記プロトコル変換装置により、前記イーサネットプロトコル制御管理パケットをＣＰＲＩフレームへとカプセル化し、前記ＣＰＲＩフレームを前記ＲＲＵに送信する段階と
をさらに備える、請求項１に記載の方法。
【請求項６】
プロトコル変換の方法であって、前記方法は、
プロトコル変換装置により、イーサネットプロトコルを用いて、ベースバンドユニット（ＢＢＵ）との周波数同期および時刻同期を実施する段階と、
前記プロトコル変換装置により、イーサネットインタフェースから周波数同期情報および時刻同期情報を取得する段階と、
前記プロトコル変換装置により、前記周波数同期情報および前記時刻同期情報を、共通公衆無線インタフェースプロトコルフォーマット（ＣＰＲＩプロトコルフォーマット）である周波数同期情報および時刻同期情報へと変換する段階と、
前記プロトコル変換装置により、ＣＰＲＩインタフェースを用いて、前記変換された周波数同期情報および時刻同期情報を遠隔無線ユニット（ＲＲＵ）に送信し、前記ＲＲＵは、ＣＰＲＩプロトコルをサポートする、送信する段階と、
高速制御管理チャネルが、前記プロトコル変換装置と前記ＲＲＵとの間に存在する場合、前記プロトコル変換装置により、前記ＢＢＵにより前記ＲＲＵに送信されるイーサネットプロトコル制御管理パケットを識別する段階と、
前記プロトコル変換装置により、前記イーサネットプロトコル制御管理パケットをＣＰＲＩフレームへとカプセル化し、前記ＣＰＲＩフレームを前記ＲＲＵに送信する段階と
を備える
方法。
【請求項７】
前記方法は、
前記プロトコル変換装置により、前記ＲＲＵにより送信されるＣＰＲＩフレームを受信し、前記ＣＰＲＩフレームからイーサネットプロトコル制御管理パケットを解析する段階と、
前記プロトコル変換装置により、前記イーサネットプロトコル制御管理パケットを前記ＢＢＵに送信する段階と
をさらに備える、請求項５または６に記載の方法。
【請求項８】
前記方法は、
前記プロトコル変換装置により、ユーザプレーンデータを搬送する少なくとも１つのイーサネットプロトコルパケットを前記ＢＢＵから受信し、前記イーサネットプロトコルパケットに搬送される宛先ＩＰアドレスに従って、前記ＲＲＵに送信されるイーサネットプロトコルパケットを識別する段階と、
前記プロトコル変換装置により、前記ＲＲＵに送信される前記イーサネットプロトコルパケットから有効なペイロードを抽出し、ＣＰＲＩプロトコルフレームフォーマット要件に従って、前記有効なペイロードにフォーマット変換を実行し、ＣＰＲＩフレームに、前記フォーマット変換の後に取得された前記有効なペイロードを追加し、前記ＣＰＲＩフレームを前記ＲＲＵに送信する段階と
をさらに備える、請求項１から７の何れか一項に記載の方法。
【請求項９】
プロトコル変換の方法であって、前記方法は、
プロトコル変換装置により、イーサネットプロトコルを用いて、ベースバンドユニット（ＢＢＵ）との周波数同期および時刻同期を実施する段階と、
前記プロトコル変換装置により、イーサネットインタフェースから周波数同期情報および時刻同期情報を取得する段階と、
前記プロトコル変換装置により、前記周波数同期情報および前記時刻同期情報を、共通公衆無線インタフェースプロトコルフォーマット（ＣＰＲＩプロトコルフォーマット）である周波数同期情報および時刻同期情報へと変換する段階と、
前記プロトコル変換装置により、ＣＰＲＩインタフェースを用いて、前記変換された周波数同期情報および時刻同期情報を遠隔無線ユニット（ＲＲＵ）に送信し、前記ＲＲＵは、ＣＰＲＩプロトコルをサポートする、送信する段階と、
前記プロトコル変換装置により、ユーザプレーンデータを搬送する少なくとも１つのイーサネットプロトコルパケットを前記ＢＢＵから受信し、前記イーサネットプロトコルパケットに搬送される宛先ＩＰアドレスに従って、前記ＲＲＵに送信されるイーサネットプロトコルパケットを識別する段階と、
前記プロトコル変換装置により、前記ＲＲＵに送信される前記イーサネットプロトコルパケットから有効なペイロードを抽出し、ＣＰＲＩプロトコルフレームフォーマット要件に従って、前記有効なペイロードにフォーマット変換を実行し、ＣＰＲＩフレームに、前記フォーマット変換の後に取得された前記有効なペイロードを追加し、前記ＣＰＲＩフレームを前記ＲＲＵに送信する段階と
を備える
方法。
【請求項１０】
プロトコル変換装置は、第１の送受信ユニットと、処理ユニットと、第２の送受信ユニットを備え、
前記第１の送受信ユニットは、イーサネットインタフェースを用いて、ベースバンドユニット（ＢＢＵ）に接続し、
前記処理ユニットは、イーサネットプロトコルを用いて、前記ベースバンドユニット（ＢＢＵ）との周波数同期および時刻同期を実施し、前記イーサネットインタフェースから周波数同期情報および時刻同期情報を取得し、前記周波数同期情報および前記時刻同期情報を共通公衆無線インタフェースプロトコルフォーマット（ＣＰＲＩプロトコルフォーマット）である周波数同期情報および時刻同期情報へと変換し、
前記第２の送受信ユニットは、ＣＰＲＩインタフェースを用いて、前記変換された周波数同期情報および時刻同期情報を遠隔無線ユニット（ＲＲＵ）に送信し、前記ＲＲＵは、ＣＰＲＩプロトコルをサポートし、
前記処理ユニットはさらに、前記ＲＲＵをＣＰＲＩプロトコルトポロジスキャン方式でスキャンして、前記ＲＲＵのトポロジ情報を取得し、前記第１の送受信ユニットを用いて、前記イーサネットプロトコルに従って、前記トポロジ情報を前記ＢＢＵに報告する、
プロトコル変換装置。
【請求項１１】
低速制御管理チャネルが、前記プロトコル変換装置と前記ＲＲＵとの間に存在する場合、前記処理ユニットはさらに、ハイレベルデータリンク制御アドレス（ＨＤＬＣアドレス）を前記ＲＲＵに割り当て、動的ホスト構成プロトコル要求（ＤＨＣＰ要求）を前記ＲＲＵに代わって開始して、前記ＲＲＵのインターネットプロトコルアドレス（ＩＰアドレス）を取得し、前記ＩＰアドレスと前記ＨＤＬＣアドレスとの間のマッピング関係を確立し、前記ＩＰアドレスと前記ＨＤＬＣアドレスとの間のマッピング関係に従って、前記ＢＢＵにより前記ＲＲＵへ送信される制御管理パケットを識別し、前記制御管理パケットをＨＤＬＣパケットへと変換し、前記ＨＤＬＣパケットをＣＰＲＩフレームへとカプセル化し、
前記第２の送受信ユニットはさらに、前記ＣＰＲＩフレームを前記ＲＲＵに送信する、請求項１０に記載のプロトコル変換装置。
【請求項１２】
プロトコル変換装置は、第１の送受信ユニットと、処理ユニットと、第２の送受信ユニットを備え、
前記第１の送受信ユニットは、イーサネットインタフェースを用いて、ベースバンドユニット（ＢＢＵ）に接続し、
前記処理ユニットは、イーサネットプロトコルを用いて、前記ベースバンドユニット（ＢＢＵ）との周波数同期および時刻同期を実施し、前記イーサネットインタフェースから周波数同期情報および時刻同期情報を取得し、前記周波数同期情報および前記時刻同期情報を共通公衆無線インタフェースプロトコルフォーマット（ＣＰＲＩプロトコルフォーマット）である周波数同期情報および時刻同期情報へと変換し、
前記第２の送受信ユニットは、ＣＰＲＩインタフェースを用いて、前記変換された周波数同期情報および時刻同期情報を遠隔無線ユニット（ＲＲＵ）に送信し、前記ＲＲＵは、ＣＰＲＩプロトコルをサポートし、
低速制御管理チャネルが、前記プロトコル変換装置と前記ＲＲＵとの間に存在する場合、前記処理ユニットはさらに、ハイレベルデータリンク制御アドレス（ＨＤＬＣアドレス）を前記ＲＲＵに割り当て、動的ホスト構成プロトコル要求（ＤＨＣＰ要求）を前記ＲＲＵに代わって開始して、前記ＲＲＵのインターネットプロトコルアドレス（ＩＰアドレス）を取得し、前記ＩＰアドレスと前記ＨＤＬＣアドレスとの間のマッピング関係を確立し、前記ＩＰアドレスと前記ＨＤＬＣアドレスとの間の前記マッピング関係に従って、前記ＢＢＵにより前記ＲＲＵへ送信される制御管理パケットを識別し、前記制御管理パケットをＨＤＬＣパケットへと変換し、前記ＨＤＬＣパケットをＣＰＲＩフレームへとカプセル化し、
前記第２の送受信ユニットはさらに、前記ＣＰＲＩフレームを前記ＲＲＵに送信する、
プロトコル変換装置。
【請求項１３】
前記第２の送受信ユニットはさらに、前記ＲＲＵからＣＰＲＩフレームを受信し、
前記処理ユニットはさらに、前記ＣＰＲＩフレームからＨＤＬＣパケットを取得し、前記ＨＤＬＣパケットをイーサネットプロトコルパケットへと変換し、
第１の送受信ユニットはさらに、前記イーサネットプロトコルパケットを前記ＢＢＵに送信する、請求項１１または１２に記載のプロトコル変換装置。
【請求項１４】
高速制御管理チャネルが、前記プロトコル変換装置と前記ＲＲＵとの間に存在する場合、前記処理ユニットはさらに、前記ＢＢＵにより前記ＲＲＵに送信されるイーサネットプロトコル制御管理パケットを識別し、前記イーサネットプロトコル制御管理パケットをＣＰＲＩフレームへとカプセル化し、
前記第２の送受信ユニットはさらに、前記ＣＰＲＩフレームを前記ＲＲＵに送信する、請求項１０に記載のプロトコル変換装置。
【請求項１５】
プロトコル変換装置は、第１の送受信ユニットと、処理ユニットと、第２の送受信ユニットを備え、
前記第１の送受信ユニットは、イーサネットインタフェースを用いて、ベースバンドユニット（ＢＢＵ）に接続し、
前記処理ユニットは、イーサネットプロトコルを用いて、前記ベースバンドユニット（ＢＢＵ）との周波数同期および時刻同期を実施し、前記イーサネットインタフェースから周波数同期情報および時刻同期情報を取得し、前記周波数同期情報および前記時刻同期情報を共通公衆無線インタフェースプロトコルフォーマット（ＣＰＲＩプロトコルフォーマット）である周波数同期情報および時刻同期情報へと変換し、
前記第２の送受信ユニットは、ＣＰＲＩインタフェースを用いて、前記変換された周波数同期情報および時刻同期情報を遠隔無線ユニット（ＲＲＵ）に送信し、前記ＲＲＵは、ＣＰＲＩプロトコルをサポートし、
高速制御管理チャネルが、前記プロトコル変換装置と前記ＲＲＵとの間に存在する場合、前記処理ユニットはさらに、前記ＢＢＵにより前記ＲＲＵに送信されるイーサネットプロトコル制御管理パケットを識別し、前記イーサネットプロトコル制御管理パケットをＣＰＲＩフレームへとカプセル化し、
前記第２の送受信ユニットはさらに、前記ＣＰＲＩフレームを前記ＲＲＵに送信する、
プロトコル変換装置。
【請求項１６】
前記第２の送受信ユニットはさらに、前記ＲＲＵにより送信されるＣＰＲＩフレームを受信し、
前記処理ユニットはさらに、前記ＣＰＲＩフレームからイーサネットプロトコル制御管理パケットを解析し、
前記第１の送受信ユニットはさらに、前記イーサネットプロトコル制御管理パケットを前記ＢＢＵに送信する、請求項１４または１５に記載のプロトコル変換装置。
【請求項１７】
前記第１の送受信ユニットはさらに、ユーザプレーンデータを搬送する少なくとも１つのイーサネットプロトコルパケットを前記ＢＢＵから受信し、
前記処理ユニットはさらに、前記イーサネットプロトコルパケットに搬送される宛先ＩＰアドレスに従って、前記ＲＲＵに送信されるイーサネットプロトコルパケットを識別し、前記ＲＲＵに送信される前記イーサネットプロトコルパケットから有効なペイロードを抽出し、ＣＰＲＩプロトコルフレームフォーマット要件に従って、前記有効なペイロードにフォーマット変換を実行し、前記フォーマット変換の後に取得した前記有効なペイロードをＣＰＲＩフレームに追加し、
前記第２の送受信ユニットはさらに、前記ＣＰＲＩフレームを前記ＲＲＵに送信する、請求項１０から１６の何れか一項に記載のプロトコル変換装置。
【請求項１８】
プロトコル変換装置は、第１の送受信ユニットと、処理ユニットと、第２の送受信ユニットを備え、
前記第１の送受信ユニットは、イーサネットインタフェースを用いて、ベースバンドユニット（ＢＢＵ）に接続し、
前記処理ユニットは、イーサネットプロトコルを用いて、前記ベースバンドユニット（ＢＢＵ）との周波数同期および時刻同期を実施し、前記イーサネットインタフェースから周波数同期情報および時刻同期情報を取得し、前記周波数同期情報および前記時刻同期情報を共通公衆無線インタフェースプロトコルフォーマット（ＣＰＲＩプロトコルフォーマット）である周波数同期情報および時刻同期情報へと変換し、
前記第２の送受信ユニットは、ＣＰＲＩインタフェースを用いて、前記変換された周波数同期情報および時刻同期情報を遠隔無線ユニット（ＲＲＵ）に送信し、前記ＲＲＵは、ＣＰＲＩプロトコルをサポートし、
前記第１の送受信ユニットはさらに、ユーザプレーンデータを搬送する少なくとも１つのイーサネットプロトコルパケットを前記ＢＢＵから受信し、
前記処理ユニットはさらに、前記イーサネットプロトコルパケットに搬送される宛先ＩＰアドレスに従って、前記ＲＲＵに送信されるイーサネットプロトコルパケットを識別し、前記ＲＲＵに送信される前記イーサネットプロトコルパケットから有効なペイロードを抽出し、ＣＰＲＩプロトコルフレームフォーマット要件に従って、前記有効なペイロードにフォーマット変換を実行し、前記フォーマット変換の後に取得した前記有効なペイロードをＣＰＲＩフレームに追加し、
前記第２の送受信ユニットはさらに、前記ＣＰＲＩフレームを前記ＲＲＵに送信する、
プロトコル変換装置。
【請求項１９】
前記第２の送受信ユニットはさらに、前記ＲＲＵからＣＰＲＩフレームを受信し、
前記処理ユニットはさらに、前記ＣＰＲＩフレームから有効なペイロードを抽出し、前記有効なペイロードを少なくとも１つのイーサネットプロトコルパケットに追加し、
前記第１の送受信ユニットはさらに、前記イーサネットプロトコルパケットを前記ＢＢＵに送信する、請求項１７または１８に記載のプロトコル変換装置。
【発明の詳細な説明】
【技術分野】
【０００１】
本発明の実施形態は、通信技術の分野に関し、特に、プロトコル変換方法および装置に関する。
【背景技術】
【０００２】
無線通信システムにおいて、ベースバンドユニット（Ｂａｓｅｂａｎｄ  Ｕｎｉｔ、ＢＢＵ）と、遠隔無線ユニット（Ｒｅｍｏｔｅ  Ｒａｄｉｏ  Ｕｎｉｔ、ＲＲＵ）との間、または異なるＲＲＵ間のインタフェースは、無線フロントホールインタフェース（ｆｒｏｎｔｈａｕｌ  ｉｎｔｅｒｆａｃｅ）と呼ばれる。複数のタイプの無線フロントホールインタフェースがあり、例えば、共通公衆無線インタフェース（Ｃｏｍｍｏｎ  Ｐｕｂｌｉｃ  Ｒａｄｉｏ  Ｉｎｔｅｒｆａｃｅ、ＣＰＲＩ）、ＲＲＵとＢＢＵとの間のインタフェース（Ｉｎｔｅｒｆａｃｅ  ｂｅｔｗｅｅｎ  ｔｈｅ  ＲＲＵ  ａｎｄ  ｔｈｅ  ＢＢＵ、ＩＲ）、オープン・ベースステーション・アーキテクチャ・イニシアチブ（Ｏｐｅｎ  Ｂａｓｅ  Ｓｔａｔｉｏｎ  Ａｒｃｈｉｔｅｃｔｕｒｅ  Ｉｎｉｔｉａｔｉｖｅ、ＯＢＳＡＩ）インタフェース、およびオープン無線機器インタフェース（Ｏｐｅｎ  Ｒａｄｉｏ  Ｅｑｕｉｐｍｅｎｔ  Ｉｎｔｅｒｆａｃｅ、ＯＲＩ）がある。無線技術の急速な発展とともに、ＢＢＵおよびＲＲＵのフレキシブルなネットワーキングのための要件を満たすため、イーサネット（登録商標）を介する無線（Ｒａｄｉｏ  ｏｖｅｒ  Ｅｔｈｅｒｎｅｔ（登録商標）、ＲｏＥ）インタフェースが、広範囲に研究されている。ＲｏＥインタフェースは、イーサネット（Ｅｔｈｅｒｎｅｔ、ＥＴＨ）プロトコルに基づいており、通信において複数のノード間の複合ネットワーキングを可能にする。
【０００３】
ＲｏＥインタフェースベースのネットワーク上で、新ＢＢＵは、イーサネットプロトコルを用いて、新ＲＲＵに接続されてよい。しかしながら、ＣＰＲＩプロトコルをサポートする多数の従来ＲＲＵがライブネットワーク上に存在し、これら従来ＲＲＵが、ＲｏＥインタフェースベースのネットワークに接続されるのは困難である。
【発明の概要】
【０００４】
このような事情を考慮して、本発明の実施形態は、ＲｏＥインタフェースベースのネットワークと従来ＲＲＵとの間の互換性を実装するべく、プロトコル変換方法および装置を提供する。
【０００５】
第１の態様によれば、プロトコル変換装置により、イーサネットプロトコルを用いて、ベースバンドユニットＢＢＵとの周波数同期および時刻同期を実施する段階と、プロトコル変換装置により、イーサネットインタフェースから周波数同期情報および時刻同期情報を取得する段階と、プロトコル変換装置により、周波数同期情報および時刻同期情報を、共通公衆無線インタフェースＣＰＲＩプロトコルフォーマットである周波数同期情報および時刻同期情報へと変換する段階と、プロトコル変換装置により、ＣＰＲＩインタフェースを用いて変換された周波数同期情報および時刻同期情報を遠隔無線ユニットＲＲＵに送信し、ＲＲＵはＣＰＲＩプロトコルをサポートする、送信する段階とを含む、プロトコル変換方法が提供される。この解決手段において、プロトコル変換装置が、イーサネットプロトコルフォーマットである同期情報をＣＰＲＩプロトコルフォーマットである同期情報へと変換し、ＣＰＲＩプロトコルフォーマットである同期情報を従来ＲＲＵに送信することにより、従来ＲＲＵは、新ＢＢＵとの同期を実施する。
【０００６】
第１の態様の第１の可能な実施例において、方法は、プロトコル変換装置により、ＲＲＵをＣＰＲＩプロトコルトポロジスキャン方式でスキャンして、ＲＲＵのトポロジ情報を取得する段階と、プロトコル変換装置により、イーサネットプロトコルに従って、トポロジ情報をＢＢＵに報告する段階とをさらに含む。この解決手段において、プロトコル変換装置が、イーサネットメッセージを用いて、従来ＲＲＵのトポロジ情報を新ＢＢＵに報告することにより、新ＢＢＵは、トポロジ情報に従って、従来ＲＲＵを識別できる。
【０００７】
第１の態様、または第１の態様の第１の可能な実施例を参照して、第２の可能な実施例において、方法は、低速制御管理チャネルがプロトコル変換装置とＲＲＵとの間に存在する場合、プロトコル変換装置により、ハイレベルデータリンク制御ＨＤＬＣアドレスをＲＲＵに割り当てる段階と、プロトコル変換装置により、動的ホスト構成プロトコルＤＨＣＰ要求をＲＲＵに代わって開始して、ＲＲＵのインターネットプロトコルＩＰアドレスを取得し、ＩＰアドレスとＨＤＬＣアドレスとの間のマッピング関係を確立する段階と、プロトコル変換装置により、ＩＰアドレスとＨＤＬＣアドレスとの間のマッピング関係に従って、ＢＢＵによりＲＲＵに送信される制御管理パケットを識別し、制御管理パケットをＨＤＬＣパケットへと変換し、ＨＤＬＣパケットをＣＰＲＩフレームへとカプセル化し、ＣＰＲＩフレームをＲＲＵに送信する段階とをさらに含む。
【０００８】
第１の態様の第２の可能な実施例を参照して、第３の可能な実施例において、方法は、プロトコル変換装置により、ＲＲＵからＣＰＲＩフレームを受信する段階と、ＣＰＲＩフレームからＨＤＬＣパケットを取得し、ＨＤＬＣパケットをイーサネットプロトコルパケットへと変換し、イーサネットプロトコルパケットをＢＢＵに送信する段階とをさらに含む。
【０００９】
第１の態様、または第１の態様の第１の可能な実施例を参照して、第４の可能な実施例において、方法は、高速制御管理チャネルがプロトコル変換装置とＲＲＵとの間に存在する場合、プロトコル変換装置により、ＢＢＵによりＲＲＵに送信されるイーサネットプロトコル制御管理パケットを識別し、プロトコル変換装置により、イーサネットプロトコル制御管理パケットをＣＰＲＩフレームへとカプセル化し、ＣＰＲＩフレームをＲＲＵに送信する段階とをさらに含む。
【００１０】
第１の態様の第４の可能な実施例を参照して、第５の可能な実施例において、方法は、プロトコル変換装置により、ＲＲＵにより送信されるＣＰＲＩフレームを受信し、ＣＰＲＩフレームからイーサネットプロトコル制御管理パケットを解析する段階と、プロトコル変換装置により、イーサネットプロトコル制御管理パケットをＢＢＵに送信する段階とをさらに含む。
【００１１】
第２から第５の可能な実施方式において、プロトコル変換装置が、Ｃ＆Ｍパケットにプロトコル変換を実行することにより、新ＢＢＵは、従来ＲＲＵと制御保守プレーンデータを交換する。
【００１２】
前述の解決手段の何れか１つを参照して、第６の可能な実施例において、方法は、プロトコル変換装置により、ユーザプレーンデータを搬送する少なくとも１つのイーサネットプロトコルパケットをＢＢＵから受信し、イーサネットプロトコルパケットに搬送される宛先ＩＰアドレスに従って、ＲＲＵに送信されるイーサネットプロトコルパケットを識別する段階と、プロトコル変換装置により、ＲＲＵに送信されるイーサネットプロトコルパケットから有効なペイロードを抽出し、ＣＰＲＩプロトコルフレームフォーマット要件に従って、有効なペイロードにフォーマット変換を実行し、ＣＰＲＩフレームに、フォーマット変換後に取得した有効なペイロードを追加し、ＣＰＲＩフレームをＲＲＵに送信する段階とをさらに含む。
【００１３】
第１の態様の第６の可能な実施例を参照して、第７の可能な実施例において、方法は、プロトコル変換装置により、ＲＲＵからＣＰＲＩフレームを受信し、ＣＰＲＩフレームから有効なペイロードを抽出する段階と、プロトコル変換装置により、有効なペイロードを少なくとも１つのイーサネットプロトコルパケットに追加し、イーサネットプロトコルパケットをＢＢＵに送信する段階とをさらに含む。
【００１４】
第６および第７の可能な実施方式において、プロトコル変換装置が、ユーザプレーンデータにプロトコル変換を実行することにより、新ＢＢＵは、ユーザプレーンデータを従来ＲＲＵと交換する。
【００１５】
前述の解決手段の何れかの１つを参照して、第８の可能な実施例において、方法は、プロトコル変換装置により、イーサネットプロトコルに従って、ＢＢＵからプロトコル変換装置への遅延を取得する段階と、プロトコル変換装置により、ＣＰＲＩプロトコルに従って、プロトコル変換装置からＲＲＵへの遅延を取得する段階と、プロトコル変換装置により、イーサネットプロトコルからＣＰＲＩプロトコルへの変換の処理遅延を取得する段階と、プロトコル変換装置により、ＢＢＵからプロトコル変換装置への遅延、プロトコル変換装置からＲＲＵへの遅延、およびイーサネットプロトコルからＣＰＲＩプロトコルへの変換の処理遅延を合算して、ＢＢＵからＲＲＵへのエンドツーエンド遅延を取得し、エンドツーエンド遅延をＢＢＵに報告する段階とをさらに含む。この解決手段において、プロトコル変換装置は、新ＢＢＵから従来ＲＲＵへのエンドツーエンド遅延を計算し、エンドツーエンド遅延を新ＢＢＵに報告し、新ＢＢＵによるその後の無線サービス処理を促進する。
【００１６】
第２の態様によれば、第１の送受信ユニット、処理ユニット、および第２の送受信ユニットを含み、第１の送受信ユニットは、イーサネットインタフェースを用いてベースバンドユニットＢＢＵに接続するよう構成され、処理ユニットは、イーサネットプロトコルを用いて、ベースバンドユニットＢＢＵとの周波数同期および時刻同期を実施し、イーサネットインタフェースから、周波数同期情報および時刻同期情報を取得し、周波数同期情報および時刻同期情報を、共通公衆無線インタフェースＣＰＲＩプロトコルフォーマットである周波数同期情報および時刻同期情報へと変換するよう構成され、第２の送受信ユニットは、ＣＰＲＩインタフェースを用いて変換された周波数同期情報および時刻同期情報を遠隔無線ユニットＲＲＵに送信し、ＲＲＵは、ＣＰＲＩプロトコルをサポートするよう構成される、プロトコル変換装置が提供される。この解決手段において、プロトコル変換装置が、イーサネットプロトコルフォーマットである同期情報をＣＰＲＩプロトコルフォーマットである同期情報へと変換し、ＣＰＲＩプロトコルフォーマットである同期情報を従来ＲＲＵに送信することにより、従来ＲＲＵは、新ＢＢＵとの同期を実施する。
【００１７】
第２の態様の第１の可能な実施例において、処理ユニットは、ＲＲＵをＣＰＲＩプロトコルトポロジスキャン方式でスキャンして、ＲＲＵのトポロジ情報を取得し、第１の送受信ユニットを用いて、イーサネットプロトコルに従って、トポロジ情報をＢＢＵに報告するようにさらに構成される。この解決手段において、プロトコル変換装置が、イーサネットメッセージを用いて、従来ＲＲＵのトポロジ情報を新ＢＢＵに報告することにより、新ＢＢＵは、トポロジ情報に従って、従来ＲＲＵを識別できる。
【００１８】
第２の態様、または第２の態様の第１の可能な実施例を参照して、第２の可能な実施例において、低速制御管理チャネルが、プロトコル変換装置とＲＲＵとの間に存在する場合、処理ユニットは、ハイレベルデータリンク制御ＨＤＬＣアドレスをＲＲＵに割り当て、動的ホスト構成プロトコルＤＨＣＰ要求をＲＲＵに代わって開始して、ＲＲＵのインターネットプロトコルＩＰアドレスを取得し、ＩＰアドレスとＨＤＬＣアドレスとの間のマッピング関係を確立し、ＩＰアドレスとＨＤＬＣアドレスとの間のマッピング関係に従って、ＢＢＵによりＲＲＵに送信される制御管理パケットを識別し、制御管理パケットをＨＤＬＣパケットへと変換し、ＨＤＬＣパケットをＣＰＲＩフレームへとカプセル化するようにさらに構成され、第２の送受信ユニットは、ＣＰＲＩフレームをＲＲＵに送信するようにさらに構成される。
【００１９】
第２の態様の第２の可能な実施例を参照して、第３の可能な実施例において、第２の送受信ユニットは、ＲＲＵからＣＰＲＩフレームを受信するようにさらに構成され、処理ユニットは、ＣＰＲＩフレームからＨＤＬＣパケットを取得し、ＨＤＬＣパケットをイーサネットプロトコルパケットへと変換するようにさらに構成され、第１の送受信ユニットは、イーサネットプロトコルパケットをＢＢＵに送信するようにさらに構成される。
【００２０】
第２の態様、または第２の態様の第１の可能な実施例を参照して、第４の可能な実施例において、高速制御管理チャネルがプロトコル変換装置とＲＲＵとの間に存在する場合、処理ユニットは、ＢＢＵによりＲＲＵに送信されるイーサネットプロトコル制御管理パケットを識別し、イーサネット制御管理パケットをＣＰＲＩフレームへとカプセル化するようにさらに構成され、第２の送受信ユニットは、ＣＰＲＩフレームをＲＲＵに送信するようにさらに構成される。
【００２１】
第２の態様の第４の可能な実施例を参照して、第５の可能な実施例において、第２の送受信ユニットは、ＲＲＵにより送信されるＣＰＲＩフレームを受信するようにさらに構成され、処理ユニットは、ＣＰＲＩフレームからイーサネットプロトコル制御管理パケットを解析するようにさらに構成され、第１の送受信ユニットは、イーサネットプロトコル制御管理パケットをＢＢＵに送信するようにさらに構成される。
【００２２】
第２から第５の可能な実施方式において、プロトコル変換装置が、Ｃ＆Ｍパケットにプロトコル変換を実行することにより、新ＢＢＵは、制御保守プレーンデータを従来ＲＲＵと交換する。
【００２３】
前述の解決手段の何れか１つを参照して、第６の可能な実施例において、第１の送受信ユニットは、ユーザプレーンデータを搬送する少なくとも１つのイーサネットプロトコルパケットをＢＢＵから受信するようにさらに構成され、処理ユニットは、イーサネットプロトコルパケットに搬送される宛先ＩＰアドレスに従って、ＲＲＵに送信されるイーサネットプロトコルパケットを識別し、ＲＲＵに送信されるイーサネットプロトコルパケットから有効なペイロードを抽出し、ＣＰＲＩプロトコルフレームフォーマット要件に従って有効なペイロードにフォーマット変換を実行し、ＣＰＲＩフレームに、フォーマット変換後に取得した有効なペイロードを追加するようにさらに構成され、第２の送受信ユニットは、ＣＰＲＩフレームをＲＲＵに送信するようにさらに構成される。
【００２４】
第２の態様の第６の可能な実施例を参照して、第７の可能な実施例において、第２の送受信ユニットは、ＲＲＵからＣＰＲＩフレームを受信するようにさらに構成され、処理ユニットは、ＣＰＲＩフレームから有効なペイロードを抽出し、少なくとも１つのイーサネットプロトコルパケットに有効なペイロードを追加するようにさらに構成され、第１の送受信ユニットは、イーサネットプロトコルパケットをＢＢＵに送信するようにさらに構成される。
【００２５】
第６および第７の可能な実施方式において、プロトコル変換装置が、ユーザプレーンデータにプロトコル変換を実行することにより、新ＢＢＵは、ユーザプレーンデータを従来ＲＲＵと交換する。
【００２６】
前述の解決手段の何れか１つを参照して、第８の可能な実施例において、処理ユニットは、イーサネットプロトコルに従って、ＢＢＵからプロトコル変換装置への遅延を取得し、ＣＰＲＩプロトコルに従って、プロトコル変換装置からＲＲＵの遅延を取得し、イーサネットプロトコルからＣＰＲＩプロトコルへの変換の処理遅延を取得し、ＢＢＵからプロトコル変換装置への遅延、プロトコル変換装置からＲＲＵへの遅延、およびイーサネットプロトコルからＣＰＲＩプロトコルへの変換の処理遅延を合算して、ＢＢＵからＲＲＵへのエンドツーエンド遅延を取得するようにさらに構成され、第１の送受信ユニットは、エンドツーエンド遅延をＢＢＵに報告するようにさらに構成される。この解決手段において、プロトコル変換装置は、新ＢＢＵから従来ＲＲＵへのエンドツーエンド遅延を計算し、エンドツーエンド遅延を新ＢＢＵに報告して、新ＢＢＵによるその後の無線サービス処理を促進する。
【図面の簡単な説明】
【００２７】
【図１】先行技術におけるＣＰＲＩプロトコルのアーキテクチャ図である。
【００２８】
【図２】本発明の一実施形態による、ネットワーキング構造の図である。
【００２９】
【図３】本発明の一実施形態による、別のネットワーキング構造の図である。
【００３０】
【図４】本発明の一実施形態による、プロトコル変換方法のフローチャートである。
【００３１】
【図５】本発明の一実施形態による、別のプロトコル変換方法のフローチャートである。
【００３２】
【図６】本発明の一実施形態による、別のプロトコル変換方法のフローチャートである。
【００３３】
【図７】本発明の一実施形態による、別のプロトコル変換方法のフローチャートである。
【００３４】
【図８】本発明の一実施形態による、別のプロトコル変換方法のフローチャートである。
【００３５】
【図９】本発明の一実施形態による、別のプロトコル変換方法のフローチャートである。
【００３６】
【図１０】本発明の一実施形態による、別のネットワーキング構造の図である。
【００３７】
【図１１】本発明の一実施形態による、プロトコル変換装置の構造ブロック図である。
【発明を実施するための形態】
【００３８】
図１に示すように、ＣＰＲＩプロトコルアーキテクチャは、３つのプレーンおよび２つの層を含む。３つのプレーンは、それぞれ、ユーザプレーン（Ｕｓｅｒ  ｐｌａｎｅ）、制御管理プレーン（Ｃｏｎｔｒｏｌ  ａｎｄ  Ｍａｎａｇｅｍｅｎｔ  ｐｌａｎｅ、Ｃ＆Ｍ  ｐｌａｎｅ）、および同期（Ｓｙｎｃｈｒｏｎｉｚａｔｉｏｎ、ＳＹＮ）プレーンである。２つの層は、物理層（層１、Ｌ１）およびデータリンク層（層２、Ｌ２）である。ユーザプレーンデータは、同相および直交データ（Ｉｎ−ｐｈａｓｅ  ａｎｄ  Ｑｕａｄｒａｔｕｒｅ  ｄａｔａ、ＩＱ  ｄａｔａ）ならびにユーザの制御語（ＣｔｌＷｏｒｄ）を含む。制御管理プレーンデータは、イーサネット（Ｅｔｈｅｒｎｅｔ）データ、ハイレベルデータリンク制御（Ｈｉｇｈ−Ｌｅｖｅｌ  Ｄａｔａ  Ｌｉｎｋ  Ｃｏｎｔｒｏｌ、ＨＤＬＣ）データ、および制御語（ＣｔｌＷｏｒｄ）を含む。イーサネットデータは、高速の制御管理（Ｆａｓｔ  Ｃ＆Ｍ）に使用される。ＨＤＬＣデータは、低速の制御管理（Ｓｌｏｗ  Ｃ＆Ｍ）に使用される。同期プレーンは、Ｌ１インバンドプロトコル（Ｌ１  Ｉｎｂａｎｄ  Ｐｒｏｔｏｃｏｌ）を使用してよい。Ｌ１は、時分割多重（Ｔｉｍｅ  Ｄｉｖｉｓｉｏｎ  Ｍｕｌｔｉｐｌｅｘｉｎｇ）機能、電気的伝送（Ｅｌｅｃｔｒｉｃａｌ  Ｔｒａｎｓ）機能、光伝送（Ｏｐｔｉｃａｌ  Ｔｒａｎｓ）機能および同様のものを主に定義する。
【００３９】
ＢＢＵおよびＲＲＵが、イーサネットプロトコルによってネットワーク接続される場合、ＲＲＵは、ライブネットワーク上に存在するＣＰＲＩプロトコルのみをサポートするので、図２または図３に示すネットワーキングシナリオが適用されてよい。従来ＲＲＵは、ＣＰＲＩプロトコルのみをサポートする。従って、従来ＲＲＵは、新ＢＢＵと、通常は通信できない。本発明の後続の実施形態において、イーサネットプロトコルをサポートするＢＢＵおよびＲＲＵは、新ＢＢＵおよび新ＲＲＵと呼ばれ、ＣＰＲＩプロトコルをサポートするＲＲＵは、従来ＲＲＵと呼ばれる。
【００４０】
本発明の実施形態は、異なるプロトコル間の変換を実施し、前述の課題を解決するべく、プロトコル変換方法および装置を提供する。本発明の実施形態において、プロトコル変換装置は、独立したデバイスであってよく、または新ＲＲＵに組み込まれてよい。従来ＲＲＵは、プロトコル変換装置を用いて、新ＢＢＵまたは新ＲＲＵと相互に作用し得る。本発明の後続の実施形態において、ＣＰＲＩインタフェースは、ＣＰＲＩプロトコルをサポートする無線フロントホールインタフェースであり、ＲｏＥインタフェースは、イーサネットプロトコルをサポートする無線フロントホールインタフェースである。
【００４１】
図４に示すように本発明の一実施形態は、以下の段階を含む、プロトコル変換方法を提供する。
【００４２】
４０１．プロトコル変換装置は、イーサネットプロトコルを用いて、新ＢＢＵとの周波数同期および時刻同期を実施する。
【００４３】
プロトコル変換装置は、同期イーサネット（Ｓｙｎｃｈｒｏｎｉｚａｔｉｏｎ  Ｅｔｈｅｒｎｅｔ、ＳｙｎｃＥ）プロトコルおよびＩＥＥＥ１５８８を用いて、またはＩＥＥＥ１５８８のみを用いて、新ＢＢＵとの周波数同期および時刻同期を実施し得る。
【００４４】
４０２．プロトコル変換装置は、イーサネットインタフェースから周波数同期情報および時刻同期情報を取得する。
【００４５】
４０３．プロトコル変換装置は、周波数同期情報および時刻同期情報を、ＣＰＲＩプロトコルフォーマットである周波数同期情報および時刻同期情報へと変換する。
【００４６】
プロトコル変換装置は、ＣＰＲＩプロトコルに従って、取得した周波数同期情報および時刻同期情報を、従来ＲＲＵに予期される周波数同期情報および時刻同期情報へと変換する。
【００４７】
４０４．プロトコル変換装置は、ＣＰＲＩインタフェースを用いて、変換した周波数同期情報および時刻同期情報を従来ＲＲＵに送信する。
【００４８】
周波数同期情報は、物理層信号で搬送されてよく、従来ＲＲＵは、ＣＰＲＩフレームを解析することなく周波数同期を実施できる。時刻同期情報は、ＣＰＲＩフレームに搬送されてよい。
【００４９】
前述の実施形態において、プロトコル変換装置が、イーサネットプロトコルフォーマットである同期情報をＣＰＲＩプロトコルフォーマットである同期情報へと変換し、ＣＰＲＩプロトコルフォーマットである同期情報を従来ＲＲＵに送信することにより、従来ＲＲＵは、新ＢＢＵとの同期を実施する。
【００５０】
図５に示すように、本発明の一実施形態は、以下の段階を含む、別のプロトコル変換方法を提供する。
【００５１】
５０１．プロトコル変換装置は、ＣＰＲＩプロトコルのトポロジスキャン方式で、プロトコル変換装置に接続された従来ＲＲＵをスキャンし、従来ＲＲＵのトポロジ情報を取得する。
【００５２】
５０２．プロトコル変換装置は、イーサネットプロトコルに従って、トポロジ情報を新ＢＢＵに報告する。
【００５３】
前述の実施形態において、プロトコル変換装置が、イーサネットメッセージを用いて、従来ＲＲＵのトポロジ情報を新ＢＢＵに報告することにより、新ＢＢＵは、トポロジ情報に従って、従来ＲＲＵを識別できる。
【００５４】
以下は、プロトコル変換装置が新ＲＲＵに組み込まれている一例を使用して、トポロジ構成方法を説明する。
【００５５】
新ＲＲＵは、ＲＲＵ物理識別方式で構成を実行し得る。無線周波数ネットワーキングの計画図において、新ＲＲＵの各々は付番され、新ＲＲＵの各々に対応する加入者識別モジュール（Ｓｕｂｓｃｒｉｂｅｒ  Ｉｄｅｎｔｉｔｙ  Ｍｏｄｕｌｅ、ＳＩＭ）のカード番号（ＳＩＭカードに貼られたラベル）が識別される。ＲＲＵに付番するためのルールは、サイト（ｓｉｔｅ）番号＋ＲＲＵ番号である。ＲＲＵ識別コードは、ＳＩＭカードにあらかじめ書き込まれている。オンサイト構築中に、ＳＩＭカードは、接続図に従って、対応する新ＲＲＵに挿入される。サイト配置中に、ＲＲＵ識別コードとＲＲＵ番号（キャビネット番号、サブラック番号、およびスロット番号）との間のマッピング関係が、ネットワーク管理プラットフォーム上で基地局にダウンロードされ、基地局は、ＲＲＵ番号に従ってデータを設定する。
【００５６】
新ＲＲＵを設定するコマンドの一例は、以下となる。  ＡＤＤ  ＲＲＵ（ＲＲＵアドレス）は、ＣＮ（キャビネット番号）＝０、ＳＲＮ（サブラック番号）＝６０、ＳＮ（スロット番号）＝０、ＰＨＹＩＤ（物理識別子）＝ｘｘｘｘとなる。
【００５７】
物理識別子は、ＲＲＵ識別コードである。
【００５８】
新ＲＲＵに基づいた従来ＲＲＵのトポロジ位置は、ブランチチェーン／リング＋ホップ数の従来の構成方式で構成される。すなわち、従来ＲＲＵの相対的なトポロジ位置は、新ＲＲＵに基づいて構成される。従来ＲＲＵチェーンは、まず、新ＲＲＵノード位置に基づいて構成され、次に、従来ＲＲＵが、チェーン上に構成される。
【００５９】
従来ＲＲＵを設定するコマンドの一例は、以下となる。  ＡＤＤ  ＲＲＵＣＨＡＩＮ（ＲＲＵチェーン／リングアドレス）は、ＲＣＮ（チェーン／リング番号）＝１、ＴＴ（チェーン／リングタイプ）＝ＣＨＡＩＮ、ＨＣＮ（キャビネット番号）＝０、ＨＳＲＮ（サブラック番号）＝６０、ＨＳＮ（スロット番号）＝０、およびＨＰＮ（ポート数）＝０となる。  ＡＤＤ  ＲＲＵ（ＲＲＵアドレス）は、ＣＮ（キャビネット番号）＝０、ＳＲＮ（サブラック番号）＝６１、ＳＮ（スロット番号）＝０、ＴＰ（トランクまたはブランチ）＝ＢＲＡＮＣＨ、ＲＣＮ（チェーン／リング番号）＝１、ＰＳ（ホップ数）＝０となる。
【００６０】
新ＲＲＵが、新ＲＲＵに接続された従来ＲＲＵチェーン／リングのトポロジ情報をＣＰＲＩプロトコルトポロジスキャン方式でスキャンし、イーサネットプロトコルフォーマットに従って、トポロジ情報を新ＢＢＵに報告することにより、新ＢＢＵは、ブランチチェーン／リング構成に従って、従来ＲＲＵを識別できる。
【００６１】
本発明の一実施形態は、主に制御管理Ｃ＆Ｍパケットの処理に関する、別のプロトコル変換方法を提供する。ＣＰＲＩプロトコルは、２つの制御管理Ｃ＆Ｍチャネル、低速Ｃ＆Ｍチャネルおよび高速Ｃ＆Ｍチャネルを定義する。以下の説明は、２つの事例を用いて別々になされる。
【００６２】
図６に示すように、図６は、本発明の一実施形態による、プロトコル変換方法を示す。低速Ｃ＆Ｍチャネルが、プロトコル変換装置と従来ＲＲＵとの間に存在する場合に関する方法は、以下の段階を含む。
【００６３】
６０１．プロトコル変換装置は、ＨＤＬＣアドレスを従来ＲＲＵに割り当てる。
【００６４】
６０２．プロトコル変換装置は、動的ホスト構成プロトコル（Ｄｙｎａｍｉｃ  Ｈｏｓｔ  Ｃｏｎｆｉｇｕｒａｔｉｏｎ  Ｐｒｏｔｏｃｏｌ、ＤＨＣＰ）要求を従来ＲＲＵに代わって開始して、従来ＲＲＵのインターネットプロトコル（Ｉｎｔｅｒｎｅｔ  Ｐｒｏｔｏｃｏｌ、ＩＰ）アドレスを取得し、ＩＰアドレスとＨＤＬＣアドレスとの間のマッピング関係を確立する。
【００６５】
６０３．プロトコル変換装置は、ＩＰアドレスとＨＤＬＣアドレスとの間のマッピング関係に従って、新ＢＢＵにより従来ＲＲＵに送信されるＣ＆Ｍパケットを識別し、パケットをＨＤＬＣパケットへと変換し、ＨＤＬＣパケットをＣＰＲＩフレームへとカプセル化し、ＣＰＲＩフレームを従来ＲＲＵに送信する。
【００６６】
段階６０３は、Ｃ＆Ｍパケットに、プロトコル変換装置により実行されるダウンリンク動作である。アップリンクにおいて、方法は、以下の段階をさらに含む。
【００６７】
６０４．プロトコル変換装置は、ＣＰＲＩフレームを従来ＲＲＵから受信し、ＣＰＲＩフレームからＨＤＬＣパケットを取得し、ＨＤＬＣパケットをイーサネットプロトコルパケットへと変換し、イーサネットプロトコルパケットを新ＢＢＵに送信する。
【００６８】
図７に示すように、図７は、本発明の一実施形態による、プロトコル変換方法を示す。高速Ｃ＆Ｍチャネルが、プロトコル変換装置と従来ＲＲＵとの間に存在する場合に関する方法は、以下の段階を含む。
【００６９】
７０１．プロトコル変換装置は、新ＢＢＵにより従来ＲＲＵに送信されるイーサネットプロトコルＣ＆Ｍパケットを識別する。
【００７０】
７０２．プロトコル変換装置は、イーサネットプロトコルＣ＆ＭパケットをＣＰＲＩフレームへとカプセル化し、ＣＰＲＩフレームを従来ＲＲＵに送信する。
【００７１】
前述の段階７０１および段階７０２は、Ｃ＆Ｍパケットに、プロトコル変換装置により実行されるダウンリンク動作である。アップリンクにおいて、方法は、以下の段階をさらに含む。
【００７２】
７０３．プロトコル変換装置は、従来ＲＲＵにより送信されるＣＰＲＩフレームを受信し、ＣＰＲＩフレームからイーサネットプロトコルＣ＆Ｍパケットを解析する。
【００７３】
７０４．プロトコル変換装置は、イーサネットプロトコルＣ＆Ｍパケットを新ＢＢＵに送信する。
【００７４】
高速Ｃ＆Ｍチャネルが、プロトコル変換装置と従来ＲＲＵとの間に存在する場合、Ｃ＆Ｍパケットは、イーサネットプロトコルに基づいている。従って、従来ＲＲＵは、ＩＰアドレスについて再適用する必要がなく、ＩＰアドレスは、従来ＲＲＵを識別するために使用され得、プロトコル変換装置は、Ｃ＆ＭパケットのＣＰＲＩフレーミングおよびデフレーミングを実行することのみを必要とする。
【００７５】
前述の実施形態において、プロトコル変換装置が、Ｃ＆Ｍパケットにプロトコル変換を実行することにより、新ＢＢＵは、制御保守プレーンデータを従来ＲＲＵと交換する。
【００７６】
図８で示すように、本発明の一実施形態は、以下の段階を含む、別のプロトコル変換方法を提供する。
【００７７】
８０１．プロトコル変換装置は、ユーザプレーンデータを搬送する少なくとも１つのイーサネットプロトコルパケットを新ＢＢＵから受信し、イーサネットプロトコルパケットに搬送される宛先ＩＰアドレスに従って、従来ＲＲＵに送信されるイーサネットプロトコルパケットを識別する。
【００７８】
ユーザプレーンデータを従来ＲＲＵに送信する場合、新ＢＢＵは、ユーザプレーンデータを１または複数のイーサネットプロトコルパケットに追加することを必要とする。イーサネットプロトコルパケットは、従来ＲＲＵに対応する宛先ＩＰアドレスを搬送する。
【００７９】
８０２．プロトコル変換装置は、有効なペイロード（ｐａｙｌｏａｄ）を従来ＲＲＵに送信されるイーサネットプロトコルパケットから抽出し、ＣＰＲＩフレームフォーマット要件に従って、有効なペイロードにフォーマット変換を実行し、ＣＰＲＩフレームに、フォーマット変換後に取得した有効なペイロードを追加し、ＣＰＲＩフレームを従来ＲＲＵに送信する。
【００８０】
プロトコル変換装置が有効なペイロードを抽出した後、ＣＰＲＩプロトコルは、ＣＰＲＩフレームにおけるＩＱデータに対するフォーマット要件を有する。従って、フォーマット変換は、フォーマット要件に従って、有効なペイロードにまず実行される必要があり、有効なペイロードは、次にＣＰＲＩフレームにおいて搬送される。段階８０１および段階８０２は、ユーザプレーンデータに、プロトコル変換装置により実行されるダウンリンク動作である。アップリンクにおいて、方法は、以下の段階をさらに含む。
【００８１】
８０３．プロトコル変換装置は、従来ＲＲＵからＣＰＲＩフレームを受信し、ＣＰＲＩフレームから有効なペイロードを抽出する。
【００８２】
８０４．プロトコル変換装置は、有効なペイロードを少なくとも１つのイーサネットプロトコルパケットに追加し、イーサネットプロトコルパケットを新ＢＢＵに送信する。
【００８３】
前述の実施形態において、プロトコル変換装置が、ユーザプレーンデータにプロトコル変換を実行することにより、新ＢＢＵは、ユーザプレーンデータを従来ＲＲＵと交換する。
【００８４】
図９に示すように、本発明の一実施形態は、以下の段階を含む、別のプロトコル変換方法を提供する。
【００８５】
９０１．プロトコル変換装置は、イーサネットプロトコルに従って、新ＢＢＵからプロトコル変換装置への遅延を取得する。
【００８６】
９０２．プロトコル変換装置は、ＣＰＲＩプロトコルに従って、プロトコル変換装置から従来ＲＲＵへの遅延を取得する。
【００８７】
９０３．プロトコル変換装置は、イーサネットプロトコルからＣＰＲＩプロトコルへの変換の処理遅延を取得する。
【００８８】
９０４．プロトコル変換装置は、３つの遅延を合算して、新ＢＢＵから従来ＲＲＵへのエンドツーエンド遅延を取得し、エンドツーエンド遅延を新ＢＢＵに報告する。
【００８９】
前述の実施形態において、新ＢＢＵからプロトコル変換装置への遅延Ｄｅｌａｙ１、プロトコル変換装置から従来ＲＲＵへの遅延Ｄｅｌａｙ２、およびイーサネットプロトコルからＣＰＲＩプロトコルへの変換の処理遅延Ｄｅｌａｙ３が生成される位置について、図１０に示すネットワーキング構造図を参照する。図１０に示すネットワーキング構造は、別の実施形態にも適用可能である。イーサネットプロトコルにおいて、遅延測定方法の主な段階は、以下となる。プロトコル変換装置は、新ＢＢＵとの同期をまず実施し、サービスパケットにタイムスタンプを加算し、サービスパケットがピアエンドに到達した後、サービスパケットのタイムスタンプが、ピアエンドの時刻から減算され、プロトコル変換装置から新ＢＢＵへの遅延を取得する。ＣＰＲＩプロトコルにおいて、遅延測定方法の主な段階は、以下となる。プロトコル変換装置と従来ＲＲＵとの間の同期が実施された後、プロトコル変換装置と従来ＲＲＵとの間の遅延を測定するべく、ループバック方法が使用される。
【００９０】
前述の実施形態において、プロトコル変換装置は、新ＢＢＵから従来ＲＲＵへのエンドツーエンド遅延を計算し、新ＢＢＵにエンドツーエンド遅延を報告し、新ＢＢＵによるその後の無線サービス処理を促進する。
【００９１】
本発明のこの実施形態において、エンドツーエンド遅延は、別のネットワーク要素または別の装置により測定され得る。
【００９２】
本発明のこの実施形態において、プロトコル変換装置は、イーサネットインタフェースまたはＣＰＲＩインタフェースをさらに識別し得る。
【００９３】
本発明の実施形態は、前述のプロトコル変換方法を実行する装置の実施形態をさらに提供する。特定の方法の段階について、原則、技術的効果、および同様のものは、前述の方法の実施形態を参照し、詳細は、以下で説明されていない。
【００９４】
図１１に示すように、本発明の一実施形態は、第１の送受信ユニット１１１、処理ユニット１１２、および第２の送受信ユニット１１３を含む、プロトコル変換装置を提供する。
【００９５】
第１の送受信ユニット１１１は、イーサネットインタフェースを用いて、新ＢＢＵに接続されるよう構成される。
【００９６】
処理ユニット１１２は、イーサネットプロトコルを用いて、新ＢＢＵとの周波数同期および時刻同期を実施し、イーサネットインタフェースから周波数同期情報と時刻同期情報を取得し、周波数同期情報および時刻同期情報を、共通公衆無線インタフェースＣＰＲＩプロトコルフォーマットである周波数同期情報および時刻同期情報へと変換するよう構成される。
【００９７】
第２の送受信ユニット１１３は、ＣＰＲＩインタフェースを用いて、変換した周波数同期情報および時刻同期情報を、従来ＲＲＵに送信するよう構成される。
【００９８】
本発明のこの実施形態において、第１の送受信ユニットは、新ＢＢＵに直接接続されなくてもよく、別のデバイス、例えば新ＲＲＵが、プロトコル変換装置と新ＢＢＵとの間に存在してよいことに留意すべきである。
【００９９】
任意に、本発明のこの実施形態において、処理ユニット１１２は、従来ＲＲＵをＣＰＲＩプロトコルトポロジスキャン方式でスキャンして、従来ＲＲＵのトポロジ情報を取得し、第１の送受信ユニット１１１を用いて、イーサネットプロトコルに従って、トポロジ情報を新ＢＢＵに報告するようにさらに構成される。
【０１００】
任意に、本発明のこの実施形態において、低速Ｃ＆Ｍチャネルがプロトコル変換装置と従来ＲＲＵとの間に存在する場合、ダウンリンクにおいて、処理ユニット１１２は、ハイレベルデータリンク制御ＨＤＬＣアドレスを従来ＲＲＵに割り当て、動的ホスト構成プロトコルＤＨＣＰ要求を従来ＲＲＵに代わって開始して、従来ＲＲＵのインターネットプロトコルＩＰアドレスを取得し、ＩＰアドレスとＨＤＬＣアドレスとの間のマッピング関係を確立し、ＩＰアドレスとＨＤＬＣアドレスとの間のマッピング関係に従って、新ＢＢＵにより従来ＲＲＵに送信される制御管理パケットを識別し、制御管理パケットをＨＤＬＣパケットへと変換し、ＨＤＬＣパケットをＣＰＲＩフレームへとカプセル化するようにさらに構成され、第２の送受信ユニット１１３は、ＣＰＲＩフレームを従来ＲＲＵに送信するようにさらに構成される。
【０１０１】
任意に、本発明のこの実施形態において、アップリンクにおいて、第２の送受信ユニット１１３は、従来ＲＲＵからＣＰＲＩフレームを受信するようにさらに構成され、処理ユニット１１２は、ＣＰＲＩフレームからＨＤＬＣパケットを取得し、ＨＤＬＣパケットをイーサネットプロトコルパケットへと変換するようにさらに構成され、第１の送受信ユニット１１１は、イーサネットプロトコルパケットを新ＢＢＵに送信するようにさらに構成される。
【０１０２】
任意に、本発明のこの実施形態において、高速Ｃ＆Ｍチャネルがプロトコル変換装置と従来ＲＲＵとの間に存在する場合、ダウンリンクにおいて、処理ユニット１１２は、新ＢＢＵにより、従来ＲＲＵに送信されるイーサネットプロトコル制御管理パケットを識別し、イーサネット制御管理パケットをＣＰＲＩフレームへとカプセル化するようにさらに構成され、第２の送受信ユニット１１３は、ＣＰＲＩフレームを従来ＲＲＵに送信するようにさらに構成される。
【０１０３】
任意に、本発明のこの実施形態において、アップリンクにおいて、第２の送受信ユニット１１３は、従来ＲＲＵにより送信されるＣＰＲＩフレームを受信するようにさらに構成され、処理ユニット１１２は、ＣＰＲＩフレームからイーサネットプロトコル制御管理パケットを解析するようにさらに構成され、第１の送受信ユニット１１１は、イーサネットプロトコル制御管理パケットを新ＢＢＵに送信するようにさらに構成される。
【０１０４】
任意に、本発明のこの実施形態において、ユーザプレーンデータに関して、ダウンリンクにおいて、第１の送受信ユニット１１１は、ユーザプレーンデータを搬送する少なくとも１つのイーサネットプロトコルパケットを新ＢＢＵから受信するようにさらに構成され、処理ユニット１１２は、イーサネットプロトコルパケットに搬送される宛先ＩＰアドレスに従って、従来ＲＲＵに送信されるイーサネットプロトコルパケットを識別し、従来ＲＲＵに送信されるイーサネットプロトコルパケットから有効なペイロードを抽出し、ＣＰＲＩプロトコルフレームフォーマット要件に従って、有効なペイロードにフォーマット変換を実行し、ＣＰＲＩフレームにフォーマット変換後に取得された有効なペイロードを追加するようにさらに構成され、第２の送受信ユニット１１３は、ＣＰＲＩフレームを従来ＲＲＵに送信するようにさらに構成される。
【０１０５】
任意に、本発明のこの実施形態において、アップリンクにおいて、第２の送受信ユニット１１３は、ＣＰＲＩフレームを従来ＲＲＵから受信するようにさらに構成され、処理ユニット１１２は、ＣＰＲＩフレームから有効なペイロードを抽出し、有効なペイロードを少なくとも１つのイーサネットプロトコルパケットに追加するようにさらに構成され、第１の送受信ユニット１１１は、イーサネットプロトコルパケットを新ＢＢＵに送信するようにさらに構成される。
【０１０６】
任意に、本発明のこの実施形態において、処理ユニット１１２は、イーサネットプロトコルに従って、新ＢＢＵからプロトコル変換装置への遅延を取得し、ＣＰＲＩプロトコルに従って、プロトコル変換装置から従来ＲＲＵへの遅延を取得し、イーサネットプロトコルからＣＰＲＩプロトコルへの変換の処理遅延を取得し、新ＢＢＵからプロトコル変換装置への遅延、プロトコル変換装置から従来ＲＲＵへの遅延、およびイーサネットプロトコルからＣＰＲＩプロトコルへの変換の処理遅延を合算して、新ＢＢＵから従来ＲＲＵへのエンドツーエンド遅延を取得するようにさらに構成される。
【０１０７】
第１の送受信ユニット１１１は、エンドツーエンド遅延を新ＢＢＵに報告するようにさらに構成される。
【０１０８】
特定の製品の実施中、第１の送受信ユニットは、送受信機であってよく、第２の送受信ユニットは、別の送受信機であってよく、処理ユニットは、プロセッサであってよいことに留意すべきである。プロトコル変換装置は、１または複数のチップであってよい。プロセッサは、メモリに格納された命令を呼び出すことにより、処理ユニットの機能を実施し得る。
【０１０９】
任意に、本発明のこの実施形態において、プロトコル変換装置は、独立したデバイスであってよく、ネットワーキング構造が図１０に示されるものであってよい、またはプロトコル変換装置は、ＢＢＵまたはＲＲＵに組み込まれてよい。
【０１１０】
前述の実施形態の説明により、当業者は、本発明がハードウェア、ファームウェア、またはこれらの組み合わせにより実装され得ることを明確に理解し得る。本発明がソフトウェアにより実装される場合、前述の機能は、コンピュータ可読媒体に格納されてよく、またはコンピュータ可読媒体における１または複数の命令またはコードとして伝送されてよい。コンピュータ可読媒体は、コンピュータ記憶媒体および通信媒体を含む。通信媒体は、コンピュータプログラムを１つの場所から別の場所へ伝送することを可能にする任意の媒体を含む。記憶媒体は、コンピュータにアクセス可能な任意の利用可能な媒体であってよい。以下に一例を提供するが、限定を課すものではない。コンピュータ可読媒体は、ＲＡＭ、ＲＯＭ、ＥＥＰＲＯＭ、ＣＤ−ＲＯＭ、若しくは別の光ディスクストレージ若しくはディスクストレージ媒体、若しくは別の磁気ストレージデバイス、または望まれるプログラムコードを命令の形態若しくはデータ構造の形態で搬送若しくは格納可能で、コンピュータによってアクセス可能な任意の他の媒体を含んでよい。さらに、任意の接続が、コンピュータ可読媒体として適宜定義されてよい。例えば、ソフトウェアがウェブサイト、サーバまたは別のリモートソースから、同軸ケーブル、光ファイバ／ケーブル、ツイストペア、デジタル加入者線（ＤＳＬ）または赤外線、無線およびマイクロ波のような無線技術を用いて伝送される場合、同軸ケーブル、光ファイバ／ケーブル、ツイストペア、ＤＳＬまたは赤外線、無線およびマイクロ波のような無線技術は、それらが属する媒体との理解に含まれる。例えば、本発明で使用されるディスク（Ｄｉｓｋ）およびディスク（ｄｉｓｃ）は、コンパクトディスクＣＤ、レーザディスク、光ディスク、デジタル多用途ディスク（ＤＶＤ）、フロッピ（登録商標）ディスク、およびブルーレイ（登録商標）ディスクを含む。通常、ディスク（Ｄｉｓｋ）は、磁気手段によりデータをコピーし、ディスク（ｄｉｓｃ）は、レーザ手段によりデータを光学的にコピーする。前述の組み合わせはまた、コンピュータ可読媒体の保護範囲に含まれるべきである。
【０１１１】
要約すると、上で説明されたものは、単に、本発明の技術的な解決手段の例示的な実施形態に過ぎないが、本発明の保護範囲を制限することを意図していない。本発明の主旨および原則から逸脱することなくなされたあらゆる変形、均等物への置換、または改良は、本発明の保護範囲に属するものとする。
（項目１）
プロトコル変換の方法であって、上記方法は、
プロトコル変換装置により、イーサネットプロトコルを用いて、ベースバンドユニットＢＢＵとの周波数同期および時刻同期を実施する段階と、
上記プロトコル変換装置により、イーサネットインタフェースから周波数同期情報および時刻同期情報を取得する段階と、
上記プロトコル変換装置により、上記周波数同期情報および上記時刻同期情報を、共通公衆無線インタフェースＣＰＲＩプロトコルフォーマットである周波数同期情報および時刻同期情報へと変換する段階と、
上記プロトコル変換装置により、ＣＰＲＩインタフェースを用いて、上記変換された周波数同期情報および時刻同期情報を遠隔無線ユニットＲＲＵに送信し、上記ＲＲＵは、ＣＰＲＩプロトコルをサポートする、送信する段階とを備える方法。
（項目２）
上記方法は、
上記プロトコル変換装置により、上記ＲＲＵをＣＰＲＩプロトコルトポロジスキャン方式でスキャンして、上記ＲＲＵのトポロジ情報を取得する段階と、
上記プロトコル変換装置により、上記イーサネットプロトコルに従って、上記トポロジ情報を上記ＢＢＵに報告する段階とをさらに備える、項目１に記載の方法。
（項目３）
上記方法は、
上記プロトコル変換装置と上記ＲＲＵとの間に低速制御管理チャネルが存在する場合、上記プロトコル変換装置により、ハイレベルデータリンク制御ＨＤＬＣアドレスを上記ＲＲＵに割り当てる段階と、
上記プロトコル変換装置により、動的ホスト構成プロトコルＤＨＣＰ要求を上記ＲＲＵに代わって開始して、上記ＲＲＵのインターネットプロトコルＩＰアドレスを取得し、上記ＩＰアドレスと上記ＨＤＬＣアドレスとの間のマッピング関係を確立する段階と、
上記プロトコル変換装置により、上記ＩＰアドレスと上記ＨＤＬＣアドレスとの間の上記マッピング関係に従って、上記ＢＢＵから上記ＲＲＵに送信される制御管理パケットを識別し、上記制御管理パケットをＨＤＬＣパケットへと変換し、上記ＨＤＬＣパケットをＣＰＲＩフレームへとカプセル化し、上記ＣＰＲＩフレームを上記ＲＲＵに送信する段階とをさらに備える、項目１または２に記載の方法。
（項目４）
上記方法は、
上記プロトコル変換装置により、上記ＲＲＵからＣＰＲＩフレームを受信する段階と、
上記プロトコル変換装置により、上記ＣＰＲＩフレームからＨＤＬＣパケットを取得する段階と、
上記ＨＤＬＣパケットをイーサネットプロトコルパケットへと変換する段階と、
上記イーサネットプロトコルパケットを上記ＢＢＵに送信する段階とをさらに備える、項目３に記載の方法。
（項目５）
上記方法は、
高速制御管理チャネルが、上記プロトコル変換装置と上記ＲＲＵとの間に存在する場合、上記プロトコル変換装置により、上記ＢＢＵにより上記ＲＲＵに送信されるイーサネットプロトコル制御管理パケットを識別する段階と、
上記プロトコル変換装置により、上記イーサネットプロトコル制御管理パケットをＣＰＲＩフレームへとカプセル化し、上記ＣＰＲＩフレームを上記ＲＲＵに送信する段階とをさらに備える、項目１または２に記載の方法。
（項目６）
上記方法は、
上記プロトコル変換装置により、上記ＲＲＵにより送信されるＣＰＲＩフレームを受信し、上記ＣＰＲＩフレームからイーサネットプロトコル制御管理パケットを解析する段階と、
上記プロトコル変換装置により、上記イーサネットプロトコル制御管理パケットを上記ＢＢＵに送信する段階とをさらに備える、項目５に記載の方法。
（項目７）
上記方法は、
上記プロトコル変換装置により、ユーザプレーンデータを搬送する少なくとも１つのイーサネットプロトコルパケットを上記ＢＢＵから受信し、上記イーサネットプロトコルパケットに搬送される宛先ＩＰアドレスに従って、上記ＲＲＵに送信されるイーサネットプロトコルパケットを識別する段階と、
上記プロトコル変換装置により、上記ＲＲＵに送信される上記イーサネットプロトコルパケットから有効なペイロードを抽出し、ＣＰＲＩプロトコルフレームフォーマット要件に従って、上記有効なペイロードにフォーマット変換を実行し、ＣＰＲＩフレームに、上記フォーマット変換の後に取得された上記有効なペイロードを追加し、上記ＣＰＲＩフレームを上記ＲＲＵに送信する段階とをさらに備える、項目１から６の何れか一項に記載の方法。
（項目８）
上記方法は、
上記プロトコル変換装置により、上記ＲＲＵからＣＰＲＩフレームを受信し、上記ＣＰＲＩフレームから有効なペイロードを抽出する段階と、
上記プロトコル変換装置により、上記有効なペイロードを少なくとも１つのイーサネットプロトコルパケットに追加し、上記イーサネットプロトコルパケットを上記ＢＢＵに送信する段階とをさらに備える、項目７に記載の方法。
（項目９）
上記方法は、
上記プロトコル変換装置により、イーサネットプロトコルに従って、上記ＢＢＵから上記プロトコル変換装置への遅延を取得する段階と、
上記プロトコル変換装置により、ＣＰＲＩプロトコルに従って、上記プロトコル変換装置から上記ＲＲＵへの遅延を取得する段階と、
上記プロトコル変換装置により、上記イーサネットプロトコルから上記ＣＰＲＩプロトコルへの変換の処理遅延を取得する段階と、
上記プロトコル変換装置により、上記ＢＢＵから上記プロトコル変換装置への遅延、上記プロトコル変換装置から上記ＲＲＵへの遅延、および上記イーサネットプロトコルから上記ＣＰＲＩプロトコルへの変換の上記処理遅延を合算して、上記ＢＢＵから上記ＲＲＵへのエンドツーエンド遅延を取得し、上記エンドツーエンド遅延を上記ＢＢＵに報告する段階とをさらに備える、項目１から８の何れか一項に記載の方法。
（項目１０）
プロトコル変換装置は、第１の送受信ユニットと、処理ユニットと、第２の送受信ユニットを備え、
上記第１の送受信ユニットは、イーサネットインタフェースを用いて、ベースバンドユニットＢＢＵに接続するよう構成され、
上記処理ユニットは、イーサネットプロトコルを用いて、上記ベースバンドユニットＢＢＵとの周波数同期および時刻同期を実施し、上記イーサネットインタフェースから周波数同期情報および時刻同期情報を取得し、上記周波数同期情報および上記時刻同期情報を共通公衆無線インタフェースＣＰＲＩプロトコルフォーマットである周波数同期情報および時刻同期情報へと変換するよう構成され、
上記第２の送受信ユニットは、ＣＰＲＩインタフェースを用いて、上記変換された周波数同期情報および時刻同期情報を遠隔無線ユニットＲＲＵに送信し、上記ＲＲＵは、ＣＰＲＩプロトコルをサポートするよう構成される、プロトコル変換装置。
（項目１１）
上記処理ユニットは上記ＲＲＵをＣＰＲＩプロトコルトポロジスキャン方式でスキャンして、上記ＲＲＵのトポロジ情報を取得し、上記第１の送受信ユニットを用いて、上記イーサネットプロトコルに従って、上記トポロジ情報を上記ＢＢＵに報告するようにさらに構成される、項目１０に記載のプロトコル変換装置。
（項目１２）
低速制御管理チャネルが、上記プロトコル変換装置と上記ＲＲＵとの間に存在する場合、上記処理ユニットはハイレベルデータリンク制御ＨＤＬＣアドレスを上記ＲＲＵに割り当て、動的ホスト構成プロトコルＤＨＣＰ要求を上記ＲＲＵに代わって開始して、上記ＲＲＵのインターネットプロトコルＩＰアドレスを取得し、上記ＩＰアドレスと上記ＨＤＬＣアドレスとの間のマッピング関係を確立し、上記ＩＰアドレスと上記ＨＤＬＣアドレスとの間のマッピング関係に従って、上記ＢＢＵにより上記ＲＲＵへ送信される、制御管理パケットを識別し、上記制御管理パケットをＨＤＬＣパケットへと変換し、上記ＨＤＬＣパケットをＣＰＲＩフレームへとカプセル化するようにさらに構成され、上記第２の送受信ユニットは上記ＣＰＲＩフレームを上記ＲＲＵに送信するようにさらに構成される、項目１０または１１に記載のプロトコル変換装置。
（項目１３）
上記第２の送受信ユニットは上記ＲＲＵからＣＰＲＩフレームを受信するようにさらに構成され、
上記処理ユニットは上記ＣＰＲＩフレームからＨＤＬＣパケットを取得し、上記ＨＤＬＣパケットをイーサネットプロトコルパケットへと変換するようにさらに構成され、
第１の送受信ユニットは上記イーサネットプロトコルパケットを上記ＢＢＵに送信するようにさらに構成される、項目１２に記載のプロトコル変換装置。
（項目１４）
高速制御管理チャネルが、上記プロトコル変換装置と上記ＲＲＵとの間に存在する場合、上記処理ユニットは上記ＢＢＵにより上記ＲＲＵに送信されるイーサネットプロトコル制御管理パケットを識別し、上記イーサネット制御管理パケットをＣＰＲＩフレームへとカプセル化するようにさらに構成され、
上記第２の送受信ユニットは上記ＣＰＲＩフレームを上記ＲＲＵに送信するようにさらに構成される、項目１０または１１に記載のプロトコル変換装置。
（項目１５）
上記第２の送受信ユニットは上記ＲＲＵにより送信されるＣＰＲＩフレームを受信するようにさらに構成され、
上記処理ユニットは上記ＣＰＲＩフレームからイーサネットプロトコル制御管理パケットを解析するようにさらに構成され、
上記第１の送受信ユニットは上記イーサネットプロトコル制御管理パケットを上記ＢＢＵに送信するようにさらに構成される、項目１４に記載のプロトコル変換装置。
（項目１６）
上記第１の送受信ユニットはユーザプレーンデータを搬送する少なくとも１つのイーサネットプロトコルパケットを上記ＢＢＵから受信するようにさらに構成され、
上記処理ユニットは上記イーサネットプロトコルパケットに搬送される宛先ＩＰアドレスに従って、上記ＲＲＵに送信されるイーサネットプロトコルパケットを識別し、上記ＲＲＵに送信される上記イーサネットプロトコルパケットから有効なペイロードを抽出し、ＣＰＲＩプロトコルフレームフォーマット要件に従って、上記有効なペイロードにフォーマット変換を実行し、上記フォーマット変換の後に取得した上記有効なペイロードをＣＰＲＩフレームに追加するようにさらに構成され、
上記第２の送受信ユニットは上記ＣＰＲＩフレームを上記ＲＲＵに送信するようにさらに構成される、項目１０から１５の何れか一項に記載のプロトコル変換装置。
（項目１７）
上記第２の送受信ユニットは上記ＲＲＵからＣＰＲＩフレームを受信するようにさらに構成され、
上記処理ユニットは上記ＣＰＲＩフレームから有効なペイロードを抽出し、上記有効なペイロードを少なくとも１つのイーサネットプロトコルパケットに追加するようにさらに構成され、
上記第１の送受信ユニットは上記イーサネットプロトコルパケットを上記ＢＢＵに送信するようにさらに構成される、項目１６に記載のプロトコル変換装置。
（項目１８）
上記処理ユニットは、イーサネットプロトコルに従って、上記ＢＢＵから上記プロトコル変換装置への遅延を取得し、ＣＰＲＩプロトコルに従って、上記プロトコル変換装置から上記ＲＲＵへの遅延を取得し、上記イーサネットプロトコルから上記ＣＰＲＩプロトコルへの変換の処理遅延を取得し、上記ＢＢＵから上記プロトコル変換装置への遅延、上記プロトコル変換装置から上記ＲＲＵへの遅延、および上記イーサネットプロトコルから上記ＣＰＲＩプロトコルへの変換の上記処理遅延を合算して、上記ＢＢＵから上記ＲＲＵへのエンドツーエンド遅延を取得するようにさらに構成され、
上記第１の送受信ユニットは、上記エンドツーエンド遅延を上記ＢＢＵに報告するようにさらに構成される、項目１０から１７の何れか一項に記載のプロトコル変換装置。
【図１】
0006556320.tif 000002
【図２】
0006556320.tif 000003
【図３】
0006556320.tif 000004
【図４】
0006556320.tif 000005
【図５】
0006556320.tif 000006
【図６】
0006556320.tif 000007
【図７】
0006556320.tif 000008
【図８】
0006556320.tif 000009
【図９】
0006556320.tif 000010
【図１０】
0006556320.tif 000011
【図１１】
0006556320.tif 000012